(57)【特許請求の範囲】
【請求項１】
垂直方向の複数の導入路から入れ込まれる硬貨を水平方向の搬送路によって搬送する硬貨搬送装置であって、
前記搬送路の案内体の外周を横断方向に沿って包囲するとともに、前記案内体に沿って移動し得るようにした前記導入路の取付体を設ける移動可能取付手段と、
前記取付体の上方側に対向して配置した弾性をもつ２つの垂直片の前記対向する側に設けた掛け爪部分に前記導入路の引っ掛け部分を入れ込んで前記導入路を前記取付体に取り付ける導入路取付手段とを具備し、
前記２つの垂直片の水平面内における外側の形状と、前記外側に嵌め込んで前記２つの垂直片の間隔を規制するため枠体の内側の形状とを非対称形に形成して、前記各垂直片に対する前記枠体の嵌め込み方向を変更することにより、前記間隔を変更する掛爪間隔変更手段を付加したことを特徴とする硬貨搬送装置。
【請求項２】
請求項１に記載の硬貨搬送装置を具備することを特徴とするパチンコ台島装置。
【請求項３】
請求項１に記載の硬貨搬送装置を具備することを特徴とするパチンコ台島列装置。
【発明の詳細な説明】
【０００１】
【発明の属する技術分野】
この発明は、硬貨を水平方向の搬送路によって搬送する硬貨搬送装置、並びに、このような硬貨搬送装置を具備するパチンコ台島装置およびパチンコ台島列装置に関するものである。
【０００２】
【従来の技術】
こうした硬貨搬送装置として、一種の小型のベルトコンベヤを用いた水平方向の搬送路により、硬貨を目的の箇所、例えば、収納箱に搬送する硬貨搬送装置が知られており、図８・図９ような転向部分６０を設けた硬貨搬送装置２００の構成（以下、第１従来技術という）と、図８の構成から転向部分６０を除いて図１０のような構成にした硬貨搬送装置２００（第２従来という）が周知である。
【０００３】
なお、以下の各図において、同一の符号で示す部分は、いずれかの図において説明する同一符号の部分と同一の機能をもつ部分である。また、この発明において、水平とは水平から±２０°程度の傾斜をもつ範囲を含むものであり、垂直とは垂直から±２０°程度の傾斜をもつ範囲を含むものである。さらに、この発明において、部材とは所要の部分を構成する構成材をいうものである。
【０００４】
図８において、硬貨搬送装置２００は、搬送路２０に入れ込まれた硬貨１０を目的の箇所、例えば、搬送路２０の終端に設けた収納箱５０に入れ込むように動作するものである。そして、搬送路２０は、図９のように、無端状のベルト１２を掛け渡した両端のベルト車、すなわち、プーリ１１Ａ・１１Ｂを駆動モータ３０、例えば、減速歯車機構３０Ａ付きの誘導電動機によって回転することにより、ベルト１２の上に入れ込まれた硬貨１０を水平方向に搬送している。
【０００５】
さらに、搬送する硬貨１０がベルト１２から外側に落ちないように案内する両側の案内壁１３Ａ・１３Ｂと、ベルト１２が垂れ下がらないようにベルト１２の裏面を案内する案内面１３Ｃとを設けたＵ字形の案内体１３をベルト車１１Ａ・１１Ｂの間に配置するとともに、これらのうちの各不動機構部分を適宜の固定部分、例えば、後記のパチンコ台島装置５００では、パチンコ台島装置５００の内部の壁部などに固定した構成になっている。
【０００６】
また、こうした硬貨搬送装置２００を利用する装置として、図８の〔片端収納構成〕のようなパチンコ台島装置５００の構成（以下、第３従来技術という）と、図８の〔中央収納構成〕のようなパチンコ台島装置５００の構成（以下、第４従来技術という）とがある。
【０００７】
なお、ここで、パチンコ遊技機またはパチンコ遊技機に跳ね返しゲート機能やスロットマシン機能を設けたパチンコ・スロット遊技機などの遊技機（この発明では、これらの遊技機を総称して、パチンコ台という）１００を複数配置して１つのブロック状に構成したものをパチンコ台島装置５００と言い、このパチンコ台島装置５００は、パチンコ店の内部において、あたかも複数の「島」を配置したように見えるので、通称を「島」とも呼ばれている。
【０００８】
図８の〔片端収納構成〕〔中央収納構成〕において、パチンコ台島装置５００Ａは、多数のパチンコ台１００を片側並べ、または、両側並べにして配置するとともに、硬貨搬送装置２００を、片側並べのものでは各パチンコ台１００の裏側に、また、両側並べのものでは前後のパチンコ台１００の裏側に当たる真ん中に配置して構成してあり、各パチンコ台１００の脇、例えば、左脇に設けた硬貨入口２１から入れ込まれた硬貨１０を、導入路２２を経て搬送路２０に入れ込み、搬送路２０によって矢印のように、水平方向に搬送して収納箱５０に入れ込む構成になっている。
【０００９】
そして、図８の〔中央収納構成〕のものは、図８の〔片端収納構成〕の左側に、図８の〔片端収納構成〕における硬貨搬送装置２００の搬送方向に対して、反対方向に硬貨１０を搬送する硬貨搬送装置２００を設けたパチンコ台島装置５００を配置した構成になっている。なお、収納箱５０は、図８の〔片端収納構成〕のように、単なる収納箱を設ける場合と、図８の〔中央収納構成〕のように、上方に両替機（図示せず）などを設けるなどの複雑な構成を設ける場合とがある。
【００１０】
また、図１０の第２従来技術による硬貨搬送装置２００の構成では、硬貨１０が導入路２２から搬送路２０に垂直方向から直接的に落し込むように入れ込まれるが、図９の第１従来技術による構成では、転向部分６０を設けて硬貨１０をベルト１２の移行方向に転向し易くしている。
【００１１】
図９において、転向部分６０は、例えば、硬貨１０の方向を水平方向に転向させるためのもので、その転向を行うための転向面６５に相当する傾斜面６１Ａを設けた板状体６１を、搬送面２５、すなわち、ベルト１２の表面の直上に設けて構成したものである。
【００１２】
そして、垂直方向から落下させた硬貨１０が傾斜面６１Ａ、すなわち、転向面６５で傾斜方向に転向させられた後に、搬送路２０の搬送面２５、すなわち、ベルト１２の表面に引きずられて水平方向に転向させられるように動作するものである。
【００１３】
一方、パチンコ台１００で遊技に使用する遊技球（図示せず）を研磨するための研磨装置（図示せず）の簡便小型化が可能になったなどの理由で、パチンコ台島装置５００に配置するパチンコ台１００の数を４〜１０台程度に少なくして小型のユニット化した図１１のようなユニット型のパチンコ台島装置５００Ａの構成（以下、第５従来技術という）が周知である。
【００１４】
図１１において、パチンコ台島装置５００Ａには、パチンコ台１００が手前側と後側とに各２台ずつ設けてあり、また、各パチンコ台１００の左脇に配置した遊技球を購入するための金銭を扱う金銭機構部分１０１に、複数種類の硬貨１０を入れ込むための硬貨入口２１を設けてある。そして、硬貨入口２１の奥側に設けた硬貨判別装置２１Ａによって、入れ込まれた硬貨１０が正規の硬貨か否かの判別を行い、正規の硬貨１０は導入路２２を経て搬送路２０に入れ込まれ、正規の硬貨でないものは、別の経路（図示せず）を経て、戻出口、例えば、金銭機構部分１０１の下方に設けた戻出口２１Ｂに戻し出すようになっている。
【００１５】
こうしたユニット型のパチンコ台島装置５００Ａを、図１１に鎖線で示したように、複数台をを直列に並べて配置した構成（この発明において、パチンコ台島列装置という）１０００にすることにより、図８の構成と同様の大型の装置にしている。
【００１６】
そして、図１２のように、ユニット型のパチンコ台島装置５００Ａごとに区分した分割搬送路２０Ａと、各分割搬送路２０Ａ間を連結するための連動機構２３を設けて搬送路２０を構成した硬貨搬送装置２００（以下、第６従来技術という）と、こうした硬貨搬送装置２００を設けたパチンコ台島列装置１０００の構成（以下、第７従来技術という）が周知である。
【００１７】
また、導入路２２を、図１３のように、導入路２２を密着コイル状の導入路にした構成（以下、第８従来技術という）も周知である。図１３において、導入路２２は、例えば、直径が１．５ｍｍ程度の鋼線２２ａを線間が密着したコイル状に巻いて、内部に断面が細長い長円形状の通路２２ｂを形成した密着コイル状体であって、長円形状の通路２２ｂの内径寸法で、短径ｄ２が最も大きい硬貨１０の厚みの３倍程度、例えば、６．５ｍｍ程度にし、長径ｄ１が最も大きい硬貨１０の直径の１．２倍程度、例えば、３３ｍｍ程度にして形成したものである。
【００１８】
したがって、外形寸法では、短径Ｄ２が９．５ｍｍ程度、長径Ｄ１が３６ｍｍ程度になっている。なお、導入路２２は、パチンコ台１００のメーカによって、長径Ｄ１・短径Ｄ２の寸法に約１ｍｍ程度の差異がある。
【００１９】
さらに、案内体１３を、図１４のように、Ｈ字形の案内体１３にした硬貨搬送装置２００の構成（以下、第９従来技術という）が周知である。図１４において、案内体１３を構成する部材１３ｈは、水平方向の部材１３ｈ２に対して、垂直方向の部材１３ｈ１を下方まで延長させることにより、ベルト１２のはずれ止め用の案内壁を形成させたものであり、同図の〔組立型「Ｈ字形」部材構成〕のように各部材１３ｈ１・１３ｈ２を別個の部材で形成したものを、スポット溶接、接着などによって一体に組み立てて構成することもできる。
【００２０】
【発明が解決しようとする課題】
上記の第１従来技術〜第９従来技術において、導入路２２の下端を搬送路２０に一致させるように位置づけるには、硬貨搬送装置２００を固定する対象物、例えば、パチンコ台島装置５００・５００Ａの内側に設けた構造物に、適宜の取付具を用いて導入路２２を固定している。また、搬送路２０の取付も同様にして行っている。
【００２１】
しかし、パチンコ台島装置５００・５００Ａの内側の構成は店内の配置構成によって種々に変化させられ、また、上記の導入路２２の寸法の差異もあるので、こうした取付具を現場で加工しながら取付作業を行っているため、現場での装置組立作業が複雑で日数と費用がかかり、装置を安価に提供できないほか、装置替えの際には営業休止期間を長引かせて営業成績を低下させてしまうなどの不都合がある。
このため、こうした不都合のない硬貨搬送装置ならびにその利用装置、例えば、パチンコ台島装置・パチンコ台島列装置の提供が望まれているという課題がある。
【００２２】
【課題を解決するための手段】
この発明は、上記のような
垂直方向の複数の導入路から入れ込まれる硬貨を水平方向の搬送路によって搬送する硬貨搬送装置において、
【００２３】
上記の搬送路の案内体の外周を横断方向に沿って包囲するとともに、上記の案内体に沿って移動し得るようにした上記の導入路の取付体を設ける移動可能取付手段と、
【００２４】
上記の取付体の上方側に対向して配置した弾性をもつ２つの垂直片の上記の対向する側に設けた掛け爪部分に上記の導入路の引っ掛け部分を入れ込んで上記の導入路を上記の取付体に取り付ける導入路取付手段と
を設ける第１の構成と、
【００２５】
この第１の構成に付加して、上記の２つの垂直片の水平面内における外側の形状と、上記の外側に嵌め込んで上記の２つの垂直片の間隔を規制するため枠体の内側の形状とを非対称形に形成して、上記の各垂直片に対する上記の枠体の嵌め込み方向を変更することにより、上記の間隔を変更する掛爪間隔変更手段を設ける第２の構成とにより、上記の課題を解決したものである。
【００２６】
また、パチンコ台島装置において、上記の第１の構成および第２の構成による硬貨搬送装置を設ける第３の構成と、パチンコ台島列装置において、上記の第１の構成および第２の構成による硬貨搬送装置を設ける第４の構成とにより、上記の課題を解決したものである。
【００２７】
【発明の実施の形態】
この発明の実施の形態として、上記の転向部分６０を設けていない第２従来技術と、Ｈ字形の案内体による第９従来技術とによる硬貨搬送装置２００に、この発明を適用した実施例を説明する。
【００２８】
〔第１の構成を備える例〕
以下、図１〜図７により第１の構成を備える例を説明する。ここで、図２は図１における導入路２２の取付部分の拡大図である。また、図３〜図６はほぼ原寸大で画いたものである。さらに、この本例では、図１・図４におけるＬ字形の張出部分７５と取付体７７が無い場合の構成（図示せず）を実施例としたものである。そして、この本例の構成が、上記の第１従来技術・第９従来技術の構成と異なる箇所は次の箇所である。
【００２９】
第１には、導入路２２の取付体７０を、搬送路２０の案内体１３の外周を横断方向Ｙに沿って包囲した形状に構成するとともに、取付体２２を案内体１３に沿って移動し得るように構成した箇所である。
【００３０】
第２には、導入路２２を取付体７０に取り付ける部分の構成を、取付体７０の上方側、例えば、上面に、弾性をもつ垂直片７１Ａ・７１Ｂを対向させて配置するとともに、各垂直片７１Ａ・７１Ｂの対向側に掛け爪部分７１ａ・７１ｂに設けて構成した箇所である。
【００３１】
第３には、掛け爪部分７１ａ・７１ｂを導入路２２の引っ掛け部分、例えば、図１３の密着コイル状導入路２２の鋼線２２ａの間の谷間の部分２２ｘを、掛け爪部分７１ａ・７１ｂに入れ込んで、導入路２２を取付体７０に取り付けるように構成した箇所である。
【００３２】
つまり、本例の構成は、概括的には、垂直方向の複数の導入路２２から入れ込まれる硬貨１０を水平方向の搬送路２０によって搬送する硬貨搬送装置２００において、
【００３３】
上記の搬送路２０の案内体１３の外周を横断方向に沿って包囲するとともに、上記の案内体１３に沿って移動し得るようにした上記の導入路２２の取付体７０を設ける移動可能取付手段と、
【００３４】
上記の取付体７０の上方側（例えば、上面）に対向して配置した弾性をもつ２つの垂直片７１Ａ・７１Ｂの上記の対向する側に設けた掛け爪部分７１ａ・７１ｂに上記の導入路２２の引っ掛け部分（例えば、密着コイル状導入路２２の鋼線２２ａの間の谷間の部分）２２ｘを入れ込んで上記の導入路２２を上記の取付体７０に取り付ける導入路取付手段と
を設けた上記の第１の構成を構成しているものである。
【００３５】
そして、具体的には、次のように構成してある。搬送路２０の案内体１３の横断方向Ｙの断面を、図３のように、Ｈ字形に形成するとともに、縦方向の部材１３ｈ１の下端側に内側に曲がった補強部分１３ｈ３を設けることにより、搬送路２０の捩れ方向に対する対抗力を増強させている。
【００３６】
取付体７０は、図４のように、側面側、すなわち、案内体１３の横断方向Ｙの面でみた側が、Ｕ字形に形成された部材７２ａを主体とする下枠体７２と、図５のように、同様の側面側が、逆Ｕ字形に形成された部材７１ｘを主体とする上枠体７１とを、図１のように、案内体１３の外周を横断方向に沿って包囲するように組み付けながら、下枠体７２の逆止爪７２ｙを上枠体７１の逆止爪用穴７２ｘに入れ込むことにより、一体化して、案内体１３の外周に沿って包囲した四角筒状に形成するものである。なお、取り外すときは、逆止爪７ｙを押し外して分解すればよい。
【００３７】
案内体１３・上枠体７１・下枠体７２は、弾性材、例えば、合成樹脂材をモールド成形などにり成形して構成することにより、相互に弾力で接触しなら、取付体７０が案内体１３に沿って移動できるようになっている。
【００３８】
取付体７０の上方側、例えば、上枠体７１の上面には、硬貨１０を入れ込むための硬貨用穴１０ｘを設けるとともに、垂直片７１Ａ・７１Ｂを硬貨用穴１０ｘの長径方向Ｗの縁部分に上方に張り出して対向させた状態で配置してあり、その対向側の面に掛け爪部分７１ａ・７１ｂを設けてある。
【００３９】
硬貨用穴１０ｘの短径方向Ｂには、下半分程度を僅かに張り出させた受止部分１０ｙを設けて、導入路２２の下端を受け止めることにより、導入路２２が下方に落ち込まないようにしてある。
【００４０】
したがって、図１・図２のように、垂直片７１Ａ・７１Ｂの間に、上側から導入路２２を差し込むと、図７のように、導入路２２の下端２２ｅが受止部分１０ｙで受け止める箇所付近で停止するとともに、導入路２２の引っ掛け部分、例えば、例えば、密着コイル状導入路の鋼線２２ａの間の谷間の部分２２ｘに、垂直片７１Ａ・７１Ｂの掛け爪部分７１ａ・７１ｂを入れ込んだ状態になり、導入路２２が取付体７０に取り付けられた状態になる。
【００４１】
この状態でも、取付体７０を案内体１３に沿って希望する位置まで移動させると、導入路２２の下端側を取付体７０とともに、その位置まで移動することができるが、取付を、より強固にするために、図６のような固定用の枠体７３を垂直片７１Ａ・７１Ｂの外側に嵌め込むようにしている。
【００４２】
さらに、硬貨用穴１０ｘの短径側Ｂの縁部分にも、上方に張り出した２つの垂直片７１Ｃ・７１Ｄを配置してあり、これらの垂直片７１Ｃ・７１Ｄによって導入路２２の短径の外径Ｄ２の部分を挟むとともに、その一方の垂直片７１Ｃに設けた逆止爪７１ｚに、枠体７３の内周側７３Ａを引っ掛けて、抜け止めしている。
【００４３】
したがって、本例の構成によれば、パチンコ店内の構成によって搬送路２００に対する導入路２２の位置が種々に異なっても、取付体７０を案内体１３に沿って移動するだけのごく簡単な操作で済ませることができるという特長がある。
【００４４】
なお、下枠体７２の背面側に、大きなＬ字形に張り出した張出部分７２ｚは、装置の各電気・電子的的な構成部分に、電源や信号などを与えるためのワイヤーハーネスとケーブルなどを受け止めるとともに、所要の締結を行うための部分である。
【００４５】
〔第１実施例〕
以下、図１〜図７により第１の構成および第２の構成を備える本発明の第１実施例を説明する。本例の構成が、上記の第１の構成を備える例の構成と異なる箇所は次の箇所である。
【００４６】
第１には、図５のように、垂直片７１Ａ・７１Ｂの水平面内における外側の各形状を異ならせて、一方の垂直片７１Ａは単なる平板部分７１ｐの外形とし、他方の垂直片７１Ｂは凹部分７１ｒを設けた外形とすることにより、非対称形に形成した箇所である。
【００４７】
第２には、図６のように、垂直片７１Ａ・７１Ｂに嵌め込んで垂直片７１Ａ・７１Ｂの間隔を規制するための枠体７３の内側の形状を、一方の内側を直線状部分７１ｓの形状とし、他方の内側を中央に突起部分７１ｔを設けた形状とすることにより、非対称形に形成した箇所である。
【００４８】
なお、突起部分７１ｔは垂直片７１Ｂの凹部分７１ｒに完全に入れ込める程度の大きさにしてある。また、傾斜面７３ｘ・７３ｙは枠体７３を垂直片７１Ａ・７１Ｂに対する嵌め込みを容易にするめのものである。
【００４９】
第３には、各垂直片７１Ａ・７１Ｂに対する枠体７３の嵌め込み方向を、図７の〔大長径取付状態〕のように、突起部分７１ｔが垂直片７１Ｂの凹部分７１ｒに張り込める状態にして嵌め込んだときは、垂直片７１Ａ・７１Ｂの間隔を大きい間隔Ｄａにして導入路２２の長径Ｄ１が大きい場合に適合するように構成した箇所である。
【００５０】
第４には、各垂直片７１Ａ・７１Ｂに対する枠体７３の嵌め込み方向を、図７の〔小長径取付状態〕のように、突起部分７１ｔが垂直片７１Ｂ側に配置された状態にして突起部分７１ｔが入れ込めないように嵌め込んだときは、垂直片７１Ａ・７１Ｂの間隔を小さい間隔Ｄｂにして導入路２２の長径Ｄ１が小さい場合に適合するように構成した箇所である。したがって、枠体７３の嵌め込み方向を変更することによって、間隔Ｄａにしたり、間隔Ｄｂにしたりするように変更できる。
【００５１】
つまり、本例の構成は、概括的には、上記の第１の構成に付加して、上記の２つの垂直片７１Ａ・７１Ｂの水平面内における外側の形状（例えば、平板部分７１ｐ・凹部分７１ｒの形状）と、上記の外側に嵌め込んで上記の２つの垂直片７１Ａ・７１Ｂの間隔Ｄａ・Ｄｂを規制するための枠体７３の内側の形状（例えば、直線状部分７１ｓ・突起部分７１ｔ）とを非対称形に形成して、上記の各垂直片７１Ａ・７１Ｂに対する上記の枠体７３の嵌め込み方向を変更することにより、上記の間隔Ｄａ・Ｄｂを変更する掛爪間隔変更手段を設けた上記の第２の構成を構成しているものである。
【００５２】
したがって、本例の構成によれば、パチンコ台１００のメーカが異なるなどの理由で導入路２２の長径方向の外径Ｄ１が異なるときでも、枠体７３の嵌め込み方向を変更するだけで済ませることができるという特長がある。
【００５３】
〔参考例〕
以下、図１・図４により参考例を説明する。この参考例の構成が、上記の第１の構成を備える例・第１実施例の構成と異なる箇所は、次の箇所である。第１には、図１・図４におけるＬ字形の張り出し部分７５と取付体７７を付加して構成した箇所である。
【００５４】
第２には、取付体７０の底面から下方側にＬ字形に張り出した張出部分７５を設けるとともに、張出部分７５の上面側に突起部分７６を設けた箇所である。なお、張出部分７５は取付体７０の下枠体７２と一体にモールド成形などで構成してあるので、下枠体７２の各部と同様の弾性をもっている。
【００５５】
第３には、搬送路２００を所定の取付箇所、例えば、パチンコ台１００の背面側の構築部分などに取り付けるための取付体７７、例えば、厚さＴ１が２ｍｍ程度の鋼板をＬ字形に折り曲げ加工して水平部分７７Ａと垂直部分７７Ｃを形成して設けた箇所である。
【００５６】
なお、垂直部分７７Ｃを上記の構築物に取り付けるには、例えば、垂直部分７７Ｃに設けた突起部分７７ｘとねじ穴７７ｙを用いて取り付けるよううにしてある。また、水平部分７７Ａから下方に曲げて張り出した張出部分７７ｚは水平部分７７Ａを補強するためのリブ部分である。
【００５７】
第４には、取付体７７の水平方向部分７７Ａの厚さＴ１の部分を、取付体７０の底面７０Ａと張出部分７５の上面７５Ａとの間の間隙Ｇ１、すなわち、図４の下枠体７２の底面７０Ａと張出部分７５の上面７５Ａのと間の間隙Ｇ１に差し込むとともに、水平方向部分７７Ａに設けた穴部分、例えば、適宜の間隔を設けて配置した取付穴７７Ｂに突起部分７６を入れ込んで、取付体７７に取付体７０を取り付けることにより、搬送路２０が取付体７７に取り付けられるように構成した箇所である。取り外すときは、上記と逆の操作をすればよい。なお、張出部分７５の先端から下方に立ち下げた張出箇所７５Ｂは上記の操作を行う際のつまみ部分になっている。
【００５８】
間隙Ｇ１は厚さＴ１と同一または僅かに大きくしておき、また、突起部分７６の直径を取付穴７７Ｂの直径と同一程度または僅かに大きくしておくことにより、突起部分７６・取付穴７７Ｂを緩み無く嵌合させている。また、突起部分７６の先端の丸み部分が途中まで入るようにして、水平方向部分７７Ａを上記の弾性により底面７０Ａに押し付けるように作用させることもできる。
【００５９】
この第３実施例の構成によれば、張出部分７５の弾性によって水平方向部分７７Ａが挟まれるとともに、突起部分７６と取付穴７７Ｂによって水平方向部分７７Ａが位置が保持されるので、取付穴７７Ｂの配置間隔Ｐｘを予め想定される取付位置の変化量、例えば、取付穴７７Ｂの直径を３ｍｍとして、配置間隔をＰｘを５〜８ｍｍ程度の間隔にしておくことにより、突起部分７６を入れ込む取付穴７７Ａを選択するだけの操作で前後方向に位置決めができ、また、取付体７０を案内体１３に沿って移動するだけで、左右方向の位置決めができる。
【００６０】
したがって、この第３実施例の構成によれば、パチンコ店内の構成によってパチンコ台１００のパチンコ台１００の背面側の構築部分の取付箇所など位置が種々に異なっても、取付体７０に対する案内体１３の移動と、突起部分取付体７７の取付穴７７Ｂの選択するだけのごく簡単な操作で済ませることができるという特長がある。
【００６１】
〔第２実施例〕
この第２実施例の構成は、上記の第１実施例と参考例を組み合わせて硬貨搬送装置２００を構成したものである。したがって、上記の第１実施例と参考例の特長を得ることができることになる。
【００６２】
〔第３実施例〕
この第３実施例の構成は、上記の第１従来技術〜第９従来技術で述べたパチンコ台島装置５００・５００Ａ、または、パチンコ台島列装置１０００に上記の第１実施例、第２実施例の構成による硬貨搬送装置２００を設けて構成したものである。
【００６３】
つまり、この第３実施例の構成は、概括的には、パチンコ台島装置５００において、上記の第１の構成および第２の構成による硬貨搬送装置２００を設けた上記の第３の構成と、パチンコ台島列装置１０００において、上記の第１の構成および第２の構成による硬貨搬送装置２００を設けた上記の第４の構成とを構成しているものである。
【００６４】
したがって、これらの第３の構成・第４の構成においても、上記の第１実施例および第２実施例の特長のうちの選択したものに相当する分の特長をもつパチンコ台島装置５００・５００Ａまたはパチンコ台島列装置１０００を提供できることになる。
【００６５】
〔変形実施〕
この発明は次のように変形して実施することを含むものである。
（１）案内体１３を金属材による構成、例えば、耐食アルミニウム合金鋳物または板金加工に変更して構成する。
【００６６】
（２）取付体７０を金属材による構成、例えば、耐食アルミニウム合金鋳物または板金加工に変更して構成する。
（３）導入路２２を金属管による構成、例えば、蛇腹状管、板金加工管などに変更するとともに、その下端側に引っ掛け部分２２ｘに相当する部分を設けて構成する。
【００６７】
（４）導入路２２の短径側の外径Ｄ２の部分に対して引っ掛け部分２２ｘと掛け爪部分７１ａ・７１ｂを設けるように変更して構成する。
（５）案内体１３を図１４のＨ字形の案内体に変更して構成する。
【００６８】
（６）案内体１３をＵ字形の案内体に変更して構成する。
（７）転向部分６０を設けて構成する。
（８）取付体７０を上下に分割する箇所を、例えば、案内体１３の高さの途中位置程度の箇所に変更し、または、分割方向を縦方向に変更して構成する。
（９）取付体７０を逆勝手に形成して構成する。
（１０）取付体７７を逆勝手に形成して構成する。
【００６９】
【発明の効果】
この発明によれば、以上のように、搬送路と導入路との間または搬送路とパチンコ台の背面側との間の左右の位置関係を案内体に付加した取付体を案内体に沿って移動するだけで変更することができ、また、導入路の外径の異なりに対しては枠体の嵌め込み方向を変更するだけで対応することができる。
【００７０】
したがって、硬貨搬送装置や、硬貨搬送装置付きパチンコ台島装置・パチンコ台島列装置の組み付け作業を簡便にして、装置全体を安価に提供できるほか、装置替えの際に休業期間を短くして営業効率を向上し得るなど特長が得られる効果がある。
【図面の簡単な説明】
図面中、図１〜図８はこの発明の実施例を、また、図９〜図１４は従来技術を示し、各図の内容は次のとおりである。
【図１】要部構成斜視・取付部分縦断面図
【図２】要部構成拡大斜視図
【図３】要部構成体側面図
【図４】要部構成体四面図
【図５】要部構成体四面図
【図６】要部構成体平面・縦断面図
【図７】要部取付構成平面・縦断面図
【図８】全体構成正面図
【図９】要部構成斜視図
【図１０】要部構成斜視図
【図１１】全体構成斜視図
【図１２】全体構成正面図
【図１３】要部構成斜視図
【図１４】要部構成側面図
【符号の説明】
１０  硬貨
１０ｘ  硬貨用穴
１０ｙ  受止部分
１１・１１Ｂ  プーリ
１２  ベルト
１３  案内体
１３Ａ・１３Ｂ  案内壁
１３Ｃ  案内面
１３ｈ  部材
１３ｈ１  部材
１３ｈ２  部材
１３ｈ３  補強部分
２０  搬送路
２０Ａ  分割搬送路
２１  硬貨入口
２１Ａ  硬貨判別装置
２１Ｂ  戻出口
２２  導入路
２２ａ  鋼線
２２ｅ  下端
２２ｘ  引っ掛け部分
２３  連動機構
２５  搬送面
３０  駆動モータ
３０Ａ  減速歯車機構
５０  収納箱
６０  転向部分
６１  板状体
６１Ａ  傾斜面
６５  転向面
７０  取付体
７１  下枠体
７１Ａ〜７１Ｄ  垂直片
７１ａ・７１ｂ  掛け爪部分
７１ｐ  平板状部分
７１ｒ  凹部分
７１ｓ  直線状部分
７１ｔ  突起部分
７１ｘ  部材
７１ｚ  逆止爪
７２  下枠体
７２ａ  部材
７２ｘ  逆止爪用穴
７２ｙ  逆止爪
７３  枠体
７３Ａ  内周側
７５  張出部分
７５Ｂ  張出箇所（つまみ部分）
７６  突起部分
７７  取付体
７７Ａ  水平部分
７７Ｂ  垂直部分
７７ｘ  突起
７７ｙ  ねじ穴
７７ｚ  張出部分
１００  パチンコ台
１０１  金銭機構部分
２００  硬貨搬送装置
５００  パチンコ台島装置
５００Ａ  パチンコ台島装置
Ｂ  短径方向
Ｄ１  長径
Ｄ２  短径
Ｄａ  間隔
Ｄｂ  間隔
Ｗ  長径方向
【図１】
0004762407.tif 000002
【図２】
0004762407.tif 000003
【図３】
0004762407.tif 000004
【図４】
0004762407.tif 000005
【図５】
0004762407.tif 000006
【図６】
0004762407.tif 000007
【図７】
0004762407.tif 000008
【図８】
0004762407.tif 000009
【図９】
0004762407.tif 000010
【図１０】
0004762407.tif 000011
【図１１】
0004762407.tif 000012
【図１２】
0004762407.tif 000013
【図１３】
0004762407.tif 000014
【図１４】
0004762407.tif 000015